(57)【要約】　　　（修正有）【課題】顧客に対して商品内容を常に明示でき、しかも、山積み陳列状態が崩壊することなく、従来と同様袋内からの家庭用ポリエチレン袋を容易に引き出せる包装用として好適な店頭販売用包装袋を提供する。【解決手段】ごみ袋や食品保存袋等の、複数枚の家庭用ポリエチレン袋を１枚宛引き出すために互いに重ね合わせた状態で二つ折りにして収容してある。表面Ａ´の一端側の一半部Ａ´ａと他の一半部Ａ´ｂにポリエチレン袋商品内容を表わす文字、図形、記号などの商品表示４を互いに独立して、かつ、反対方向にして施す。【選択図】　図１
2004051128.tif 000002
【特許請求の範囲】
【請求項１】
ごみ袋や食品保存袋等の、複数枚の家庭用ポリエチレン袋を１枚宛引き出すために、互いに重ね合わせた状態で二つ折りにして収容した店頭販売用包装袋において、表面の一端側の一半部と他の一半部に前記ポリエチレン袋の商品内容を表す文字、図形、記号などの商品表示を互いに独立して、かつ、反対方向にして施した、家庭用ポリエチレン袋の店頭販売用包装袋。
【発明の詳細な説明】
【０００１】
【産業上の利用分野】
ごみ袋や食品保存袋等の、複数枚の家庭用ポリエチレン袋を、１枚宛引き出すために、互いに重ね合わせた状態で二つ折りにして収容する店頭販売用保存袋に関するものである。
【０００２】
【従来の技術】
前記店頭販売用保存袋は、家庭用ポリエチレン袋の販売時の取扱いと家庭内における保管上の便利さから、前記の通り、複数枚の家庭用ポリエチレン袋を互いに重ね合わせた状態で二つ折りに収容し、二つ折り部を摘んで引き出すために当該包装袋の一端側に配し、該一端側にミシン目を入れて取出口を容易に形成できるようにし、その表面には前記一端側を上側とする商品表示（内容物である家庭用ポリエチレン袋の品質、用途、材質などを表わす文字、図形等）を施してある（印刷してある）。
【０００３】
そして、家庭用ポリエチレン袋を収容した状態の包装袋は、一端側に二つ折り部（重ねて二つ折りにすることによって生じる）が収容数枚分として、重なり合い、当該部分の全体的な板厚が厚くなることになる。
【０００４】
従って、ポリエチレン袋を包装袋で包装した状態で店頭において山積みするには、ポリエチレン袋を収容した各包装袋を同じ方向にすると、つまり、当該包装袋に印刷した前記商品表示を前面側にのみに向けると、各包装袋中の家庭用ポリエチレン袋の前記二つ折り部分が重なり合ってその部分だけが高くなって山積みした上部側ほど傾斜状に配され、その結果、陳列（山積み）状態が崩壊することになる。
【０００５】
【発明が解決しようとする課題】
そのため、包装袋を適宜の数量分ずつ逆向きにして交互に重ねるようにして前記崩壊を防ぐようにしている。
【０００６】
しかしながら、従来の包装袋は、その表面に前記商品表示を一方側に向けてのみ表示（印刷）し（長方形状の長手方向の一端側に向けてのみ表示し、前記二つ折り部分はこの一端側を前端とする後端側であるこの一端側に対応する他の一端側に配するのが通常である）てあるので、前記の崩壊を防ぐような山積みすると、商品表示の方向が顧客と目視方向と反対になる商品陳列状態になるときがあり、その間は商品内容を認識しにくく商品陳列態様として不適当な状態におかれることとなる。
【０００７】
本発明は斯様な常況を勘案し、商品陳列上の従来の前記欠点を除去した、家庭用ポリエチレン袋の包装袋を提供すべく創案したものである。
【０００８】
【課題を解決するための手段】
ごみ袋や食品保存袋等の、複数枚の家庭用ポリエチレン袋を１枚宛引き出すために、互いに重ね合わせた状態で二つ折りにして収容した店頭販売用包装袋において、表面の一端側の一半部と他の一半部に前記ポリエチレン袋の商品内容を表す文字、図形、記号などの商品表示を互いに独立して、かつ、反対方向にして施した構成とする。
【０００９】
【発明の実施の形態】
図面は本発明に係る家庭用ポリエチレン袋の店頭販売用包装袋の一実施形態を示し、図１は正面図、図２は山積み状態を示す断面図である。
【００１０】
図中、Ａは店頭販売用包装袋で、包装袋Ａは工場において内容物である家庭用ポリエチレン袋２を収容し、密封状態にして形成（製造）されるもので、縦長長方形状のポリエチレン樹脂製の袋体で成り、その長手方向の一端にミシン目ａを施して収容した前記家庭用ポリエチレン袋２の取出口部３を設けたものである。
【００１１】
そして、包装袋Ａの表面（前面）Ａ´の長手方向の一半部Ａ´ａと他の一半部Ａ´ｂには文字や図形或いは記号等から成る商品表示４，４を各一半部Ａ´ａ，Ａ´ｂ間において互いに独立し、かつ、反対方向にして印刷して施してある。
【００１２】
商品表示４は、包装袋Ａ内に収容した家庭用ポリエチレン袋２の、素材、大きさ、用途或いは数量等々商標を含んだ種々の要素４ａ，…の全体を意味し、顧客の当該商品の購買の誘引となるものである。従って、互いに反対方向にして表示（記載）した商品表示４，４は各要素４ａ，４ａ，…が同一である必要はない。
【００１３】
なお、図面に記載中の表示要素４ａ，…中の「ごみ収集袋」の文字は内容物である家庭用ポリエチレン袋の普通名称乃至用途を示し、「半透明」の文字は当該袋の品質、「厚さ０．０．ｍｍ、巾６５０ｍｍ×長さ８００ｍｍ」は当該袋の大きさ、「１０枚入」は収容数、「４５Ｌ」は容量を示し、これらの文字及びその他の図形並びにこれらの配置態様は他の商品を識別する、いわば商標的機能部となるものである。
【００１４】
包装袋Ａに収容した前記家庭用ポリエチレン袋２は、実施形態にあっては、前記商品表示４で表示している通り、ごみ収集袋であるが、食品保存袋やごみ袋その他家庭用として用いられるポリエチレン袋で差し支えなく、該袋２を重ね合わせた状態で二つ折りにして包装袋Ａに収容したもので、二つ折り部６は包装袋Ａの一端側に設けた取出口３用のミシン目ａと重なる位置に配するようにして包装体Ａ内に収容してある。
【００１５】
そして、家庭用ポリエチレン袋２は、前記ミシン目ａに沿って包装袋Ａ部片を除去して形成した取出口３より指先で二つ折り部を摘んで引き出すことにより１枚宛包装袋Ａより引き出せるようにしてある。
【００１６】
しかして、商品表示４を施した表面を上面側にして、かつ、形状を一致させるようにして図２で示すように二つ折り部６を交互に配するようにして各家庭用ポリエチレン袋２を収容した包装袋Ａを上積みするようにして陳列棚等に載置して店頭陳列すると、山積み状態が崩壊することなく、しかも、商品表示４又は４が顧客側に面することになるのである。
【００１７】
なお、山積みの仕方は、二つ折り部６を互いに一側に配した一群の包装袋Ａ，…の上側に二つ折り部６を互いに他の一側に配した他の一群の包装袋Ａ，…を重ね合わせるようにして順次山積みする方法もあることは周知の通りである。
【００１８】
【発明の効果】
本発明は、顧客に対して商品内容を常に明示し、しかも、山積み陳列状態が崩壊することなく、従来と同様、袋内からの家庭用ポリエチレン袋を容易に引き出せる家庭用ポリエチレン袋の包装用として好適な店頭販売用包装袋を提供できる。
【図面の簡単な説明】
【図１】正面図。
【図２】山積み状態を示す断面図。
【符号の説明】
Ａ´　　表面
Ａ´ａ　一半部
Ａ´ｂ　他の一半部
２　　　家庭用ポリエチレン袋
４　　　商品表示
【図１】
2004051128.tif 000003
【図２】
2004051128.tif 000004